(57)【要約】 【課題】  低コストで、外径が大きくならず、複雑な配管レイアウトに対応できる加熱・保温配管を提供すること。【解決手段】  気体又は液体が移送される導管１０中にコードヒータ１１を挿通して成る。気体又は液体が移送される導管１０の端部に管継手２を接続させてあり、前記導管１０及びこれに接続された管継手２中にコードヒータ１１を挿通して成る。コードヒータ１１に送電するリード線３が管継手２から引き出される部分は、気体又は液体が漏洩しないように非導電性部材で封止処理を施してある。管継手２は、Ｔ字型、Ｆ字型又は十字型である。【選択図面】  図１
2005351333.tif 000002
【特許請求の範囲】
【請求項１】
気体又は液体が移送される導管中にコードヒータを挿通して成ることを特徴とする加熱・保温配管。
【請求項２】
気体又は液体が移送される導管の端部に管継手を接続させてあり、前記導管及びこれに接続された管継手中にコードヒータを挿通して成ることを特徴とする加熱・保温配管。
【請求項３】
コードヒータに送電するリード線が管継手から引き出される部分は、気体又は液体が漏洩しないように非導電性部材で封止処理を施してあることを特徴とする請求項２記載の加熱・保温配管。
【請求項４】
管継手は、Ｔ字型、Ｆ字型又は十字型であることを特徴とする請求項１乃至３のいずれかに記載の加熱・保温配管。
【発明の詳細な説明】
【技術分野】
【０００１】
この発明は、気体や液体を加熱・保温しながら移送する加熱・保温配管に関するものである。この発明の加熱・保温配管を用いると、管継手を使用して組まれた複雑な配管経路においても有効に加熱・保温しながら気体や液体を移送できる。
【背景技術】
【０００２】
従来の加熱・保温配管は、導管（ホース、チューブ）の外面にコードヒータを沿わせて当該導管中を流れている気体や液体の温度を昇温又は保温するようにしているが、コードヒータを導管に固定する手法では均熱層、保温層、外装安定層及び保護層（副材料）による包被が必要になる（例えば、特許文献１。）。
【０００３】
したがって、従来加熱・保温配管では、(1) 上記副材料のコストが大きく、(2) 外径が大きく、(3) 複雑な配管レイアウトには対応ができない、という問題があった。
【０００４】
このため、この種の加熱・保温配管を取り扱う業界では、低コストで、外径が大きくならず、複雑な配管レイアウトに対応できるものが開発されることを待ち望んでいる。
【特許文献１】特開２００３−２７８９８２号公報
【発明の開示】
【発明が解決しようとする課題】
【０００５】
そこで、この発明では、低コストで、外径が大きくならず、複雑な配管レイアウトに対応できる加熱・保温配管を提供することを課題とする。
【課題を解決するための手段】
【０００６】
（請求項１記載の発明）
この発明の加熱・保温管は、気体又は液体が移送される導管中にコードヒータを挿通して成るものとしている。
【０００７】
この加熱・保温管によると、導管上に均熱層、保温層、外装安定層及び保護層（副材料）を包被する必要がないから、低コストであり、また外径が大きくならず、さらに複雑な配管レイアウトにも対応ができる。
（請求項２記載の発明）
この発明の加熱・保温管は、上記請求項１記載の発明に関し、気体又は液体が移送される導管の端部に管継手を接続させてあり、前記導管及びこれに接続された管継手中にコードヒータを挿通して成るものとしている。
【０００８】
この加熱・保温管によると、配管中だけではなく、管継手においても気体や液体を加熱・保温することができる。
（請求項３記載の発明）
この発明の加熱・保温管は、上記請求項２記載の発明に関し、コードヒータに送電するリード線が管継手から引き出される部分は、気体又は液体が漏洩しないように非導電性部材で封止処理を施してある。
（請求項４記載の発明）
この発明の加熱・保温管は、上記請求項１乃至３のいずれかに記載の発明に関し、２記載の発明に関し、管継手は、Ｔ字型、Ｆ字型又は十字型である。
【発明の効果】
【０００９】
この発明の加熱・保温管は、低コストで、外径が大きくならず、複雑な配管経路に対応できる。
【発明を実施するための最良の形態】
【００１０】
以下にこの発明の加熱・保温管を実施するための最良の形態としての実施例について詳細に説明する。
【実施例１】
【００１１】
図１はこの発明の実施例の加熱・保温管１を用いた流体移送のシステムＳの概念図、図２はコードヒータ１１に送電するリード３が管継手２から引き出される部分の断面図を示している。
（この加熱・保温管１を有したシステムＳの構成について）
このシステムＳは、図１に示すように、高位置にある液体タンクＴ１に収容されている液体Ｆを、低位置にある液体タンクＴ２に送る途中で所定の温度まで昇温せしめるものであり、前記液体タンクＴ１，Ｔ２相互間を加熱・保温管１で繋いである。これには、必要に応じてタンクＴ１の後ろにポンプを介在させることができる。
【００１２】
加熱・保温管１は、図１に示すように、導管１０及びこれの両端に接続されたＴ字型の管継手２，２中にコードヒータ１１を挿通して成るものとしており、前記した一方の管継手２は液体タンクＴ１に、他方の管継手２は液体タンクＴ２に、それぞれ取り付けられている。そして、各管継手２の上に延びる管部２０内において、上記コードヒータ１１と前記コードヒータ１１に送電するリード線３を電気的接続状態にしている。
【００１３】
ここで、コードヒータ１１に送電するリード線３が管継手２から引き出される部分は、図２に示すように、管部２０に嵌入されるキャップ４と、前記キャップ４の凹み部４０内に充填される封止部材５とから構成されており、前記凹み部４０内においてコードヒータ１１の端部とリード線３とが接続（接続部を符号ｔで示す）されている。
【００１４】
導管１０は、気体や液体を移送するものであり、樹脂（例えばフッ素樹脂）または金属により構成されている。
【００１５】
コードヒータ１１は、ニクロム線にシリコンを被覆したものを使用している。
【００１６】
管継手２は、上記した導管１０と同じ材質のもので構成されている。
【００１７】
キャップ４は、ナイロンやフッ素樹脂等の樹脂材料で構成されている。
【００１８】
封止部材５は、シリコン製シーラントにより構成されている。
（この加熱・保温管１を有したシステムＳの優れた機能について）
(1) この加熱・保温管１では液体が流れる導管１０及び管継手２，２内にコードヒータ１１を挿通させる構成を採っているので、コードヒータ１１の発熱を効率良く液体に伝熱できる。
【００１９】
なお、この加熱・保温管１では、凍結した液体を加熱する場合、コードヒータ１１の周りから溶解して液体化し、安定した送液が可能になる。
(2) この加熱・保温管１では、導管１０上に均熱層、保温層、外装安定層及び保護層（副材料）を包被する必要がないから、低コストである。
(3) この加熱・保温管１では、導管１０上に均熱層、保温層、外装安定層及び保護層（副材料）を包被する必要がないから、外径が大きくならず、複雑な配管レイアウトにも対応ができる。                
(4) この加熱・保温管１では、管継手２内においても液体の昇温が可能である。
(5) この加熱・保温管１を有したシステムＳでは、外部の電源Ｄ（温度調整器）の電圧調整により、所望に温度管理できる。
【００２０】
上記した(1) 〜(5) により、このシステムＳでは、タンクＴ１内の液体を導管１０による移送途中で効率良く所望の温度にして、タンクＴ２内に投入することができる。
(6) また、既存の導管１０にコードヒータ１１を入れるだけなので、生産上の効率が上がる。
（他の実施の形態について）
上記したコードヒータ１１に送電するリード線３が管継手２から引き出される部分の構成を図３に示すように変更できる。この構成は、基本的には、ナイロンやフッ素樹脂等の樹脂材料より成る二つのキャップ体６０，６１相互を螺合（雌ネジ６２、雄ネジ６３による）させて空間部Ｋを構成し、前記空間Ｋ内にリード線３とコードヒータ１１との接続部ｔを収容させると共に二つのシリコン製のＯリングＲにより空間部Ｋ内に流体が侵入しないようにしてある。ここで、この構造を採用した場合、前記キャップ体６１に形成した雄ネジ６３を、管部２０に形成された雌ネジに螺入することにより管継手２にネジ結合される。なお、管部２０への取り付けに際して、管部２０の内周壁とキャップ体６１の外周壁相互間の気密性を確保すべく、管部２０の内壁にＯリングＲ’を設けておくことが必要である。
【００２１】
上記実施例１では、液体を導管１０内で加熱しながら移送するようにしたが、これに限定されることなく、所定の温度の液体を導管１０内で保温しながら移送するようにしてもよい。
【００２２】
上記実施例１では、管継手２を使用しているが、管継手２は必須ではない。
【００２３】
上記実施例１では、管継手２としてＴ字型のものを使用したが、これに限定されることなく、Ｆ字型、十字型でもよい。要するに、三回路以上を有するものであれば全て採用できる。
【００２４】
上記実施例１では、移送する対象を液体としているが、気体とすることもできる。
【図面の簡単な説明】
【００２５】
【図１】この発明の実施例１の加熱・保温管を用いた流体移送のシステムＳの概念図。
【図２】前記加熱・保温管において、コードヒータに送電するリード線が管継手から引き出される部分の断面図。
【図３】前記加熱・保温管において、コードヒータに送電するリード線が管継手から引き出される部分の断面図。
【符号の説明】
【００２６】
１      加熱・保温管
２      管継手
３      リード線
１０    導管
１１    コードヒータ
【図１】
2005351333.tif 000003
【図２】
2005351333.tif 000004
【図３】
2005351333.tif 000005